(57)【要約】【課題】内部に収容される生ゴミの量にかかわらずその生ゴミの水分を簡単に絞ることができ、その際に絞られた水分で手を汚すこともない水切り袋の水切り具を提供する。【解決手段】生ゴミ等を収容する水切り袋の水切り具であって、水切り袋１０に収容された生ゴミの水分を絞ることができるように形成されるとともに水切り袋とは別体に設けられた治具２０として構成され、治具２０は、その内部へ水切り袋をその水切り袋の開け口１１側から底部１２側へと挿通することにより水切り袋に収容された生ゴミの水分を絞るように構成された開口を備える。【選択図】　　　図８
2004043096.tif 000002
【特許請求の範囲】
【請求項１】
生ゴミ等を収容する水切り袋の水切り具であって、前記水切り袋に収容された前記生ゴミの水分を絞ることができるように形成されるとともに、前記水切り袋とは別体に設けられた治具として構成された水切り袋の水切り具。
【請求項２】
前記治具は開口を備え、前記開口はその内部へ前記水切り袋を該袋の開け口側から底部側へと挿通することにより、前記水切り袋に収容された前記生ゴミの水分を絞るように形成されている、請求項１に記載の水切り袋の水切り具。
【請求項３】
前記治具は、閉じた形状のフレーム部と、前記フレーム部を周縁とするとともに柔軟な材料により形成された内周平面とを備え、前記開口は前記内周平面に前記内周平面の中央付近から前記フレーム部に向けて複数のスリットとして形成されている請求項２に記載の水切り袋の水切り具。
【請求項４】
前記フレーム部の材料は前記内周平面の材料より硬質である請求項３に記載の水切り袋の水切り具。
【発明の詳細な説明】
【０００１】
【発明の属する技術分野】
本発明は、家庭内の台所等において使用される水切り袋の水切り具に関する。
【０００２】
【従来の技術】
家庭の台所で発生する生ゴミを一時的に収納する目的で水切り袋が使用されている。このような水切り袋は一般的に、台所のシンク内コーナー部に吸盤等により固定されるプラスチック製の笊状容器（三角コーナー容器と呼ばれる。）や排水溝の生ゴミ受け容器、その他に収められて、台所で調理・後片付け等の際に発生する、野菜クズ、魚のアラ、残飯等の生ゴミや、ティーバッグ、茶殻等を収容するものである。そして収容された生ゴミが水切り袋中に満杯近くとなった時点で、水切り袋ごと大型のゴミ袋に投入されることが多い。
【０００３】
水切り袋は、多孔性シートや、メッシュの材料で作製されており、内部に収容される生ゴミ等に多量の水分が含まれていても、一定量の水分は重力により自然に落下して除かれる。しかしそれ以上の水分は水切り袋内に収容された生ゴミに含まれたままの状態であるので、台所のシンクから大型ゴミ袋まで移動する際に下部から水分がたれ落ちるという問題があった。これを避けるため水切り袋内の水分を絞ろうとすると、手が生ゴミから出た水分で汚れてしまうという問題もあった。また、ゴム手袋を手に装着して取り扱うと、すべり易く、手の動作も制限されてしまい、ゴミ袋を落としてしまったり、うまくつかむことができなかったりする問題もあった、また、別に小型のポリ袋等を用意してこれに水切り袋を入れて持ち運ぶという方法も考えられるが、この方法では小型ポリ袋が新たなゴミとなってしまう。
【０００４】
このような問題に対して、特開平２００１−９７５０２号公報では、開口部の中央の両側と両端に結び手を設けて、その結び手を通す穴並びに十字の切り込みを結び手から開口部の間に設けた結び手と、結び手を通す輪の結び手を設けた結び手とを組み合わせて、一方の結び手の穴、切り込み並びに輪の結び手に、もう一方の結び手を通して、通した結び手を片手で持ち上げて、空中で該袋の開口部を閉じて結ぶことができる水切り袋が提案されている。
【０００５】
【発明が解決しようとする課題】
しかし、上記の水切り袋のような構成では、手が汚れにくいという利点はあるものの、基本的に水切り袋内に収容された生ゴミの水分を絞るという機能を備えておらず、水切り袋に収容されているゴミが満杯のときに、袋の開口部を閉じて結ぶことにより結果として若干の水分が絞られる程度のものであった。
【０００６】
そこで、本発明は、内部に収容される生ゴミの量にかかわらずその生ゴミの水分を簡単に絞ることができ、その際に絞られた水分で手を汚すこともない水切り袋の水切り具を提供することを課題とする。
【０００７】
【課題を解決するための手段】
以下、本発明について説明する。なお、本発明の理解を容易にするために添付図面の参照符号を括弧書きにて付記するが、それにより本発明が図示の形態に限定されるものではない。
【０００８】
本発明の第１の態様は、生ゴミ等を収容する水切り袋の水切り具であって、水切り袋（１０）に収容された生ゴミの水分を絞ることができるように形成されるとともに、水切り袋とは別体に設けられた治具（２０）として構成された水切り袋の水切り具を提供して前記課題を解決する。ここに「水分を絞ることができる」とは、使用者が治具を使用して水切り袋内部に収容されている生ゴミの水分を絞ることができることを意味し、水切り袋内部に収容された生ゴミの水分が治具又は水切り袋により自動的に絞られることを意味するものではない。
【０００９】
この第１の態様にかかる水切り袋の水切り具によれば、使用者は、水切り袋内の生ゴミの水分を、治具を利用して絞ることができるので、手を生ゴミの水分で汚すことなく簡単に作業を行うことができる。また、生ゴミの水分を絞ることにより、生ゴミに含まれる水分が減少するので、台所のシンクから大型ゴミ袋に運ばれる間に、生ゴミから水滴が漏れ落ちることが防止される。さらに、最終的に焼却処分が行われることが多い家庭ゴミの水分が減少するので、焼却に要する化石燃料の消費量を少なくすることができ、二酸化炭素発生の減少につながり、環境保全に資することができる。
【００１０】
また、水切り袋と治具とは別体に構成されているので、それぞれに別個に最適な材料にて形成することが可能である。また、必要に応じて治具を使用すればよく、使用者の好みにより、あるいは供給者側の都合に従って、治具と水切り袋との組み合わせを変えることもできる。
【００１１】
上記第一の態様において、治具（２０）は開口を備え、開口はその内部へ水切り袋をその水切り袋の開け口（１１）側から底部（１２）側へと挿通することにより水切り袋に収容された生ゴミの水分を絞ることができるように構成してもよい。
【００１２】
このように構成した場合には、生ゴミが収容された水切り袋は、開け口側から底部側に向けて治具に挿通されるので、内部に収容されている生ゴミの量の多少にかかわらず、生ゴミの水分を絞ることが可能となる。
【００１３】
上記のように構成した場合にはさらに、治具は閉じた形状のフレーム部（２１）と、フレーム部を周縁とするとともに柔軟な材料により形成された内周平面（２２）とを備え、上記開口は内周平面に内周平面の中央付近からフレーム部に向けて複数のスリット（２３）として形成されるように構成してもよい。ここに、「閉じた形状」とは、その形状の内側が円形、長円形、三角形、四辺形、多角形、星型、十字架型などの平面を構成するものが望ましいが、緩やかな曲面を形成していてもよい。また、「柔軟な材料」の「柔軟」とは、スリットにそのスリット幅よりやや大きな形状のものを押し込んだときにスリットが押し開かれる程度に変形可能な柔軟さをいう。さらに、「内周平面の中央付近」とは、フレーム部に囲まれる形状が円形、三角形、正方形、多角形、星型、あるいは十字架型などの場合はそれらの図形の中心点付近をさし、フレーム部に囲まれる形状が長円形、長方形など一方向に長い形状の場合には、長手方向の中心線まで含む概念である。また、複数のスリットは全て連結されており、この連結から独立して設けられるスリットはない。
【００１４】
このように構成すれば、治具は閉じた形状のフレーム部を備えているので、治具自体の形状及び強度はフレーム部により確保される。このフレーム部の内周側に柔軟な材料により形成された内周平面が形成されるので、柔軟かつ所定形状を保持した内周平面を確保することができる。この柔軟な材料で形成された内周平面の中央部から周囲のフレーム部に向けて複数のスリットが形成されているので、スリット自体の形状も自由に変化することができる。したがって、スリットに水切り袋の開口部側を挿入する際にも抵抗なく作業を行うことが可能である。
【００１５】
また、内周平面内には、複数のスリットにより仕切られた多数のリード片が形成される。各リード片のフレーム部寄りの部分は内周平面と連続する固定端となり、各リード片の先端部は自由端となる。ひとたびスリット部に水切り袋が挿入されると、柔軟な材料により形成されている各リード片の先端部が、水切り袋の開口部側向きに屈曲される。したがって、内部に挿通される水切り袋の風体に応じてスリットの形状や大きさを変化させることができる。また、屈曲されているリード片は元の形状に戻ろうとする弾性を有するので、水切り袋を押圧する。このようにして、特殊な技能を必要とすることなく、治具を水切り袋の開け口側から底部側へと移動させるだけで、きわめて簡単に水切り袋内部に収容された生ゴミの水分を絞ることができる。また、各リード片の先端部が、水切り袋の開け口側に屈曲されており、治具が上記開け口側に戻ろうとすると、各リード片の先端部が、水切り袋に喰い込む。すなわち、各リード片の先端部が治具の戻り防止爪として機能するので、一端挿入された水切り袋が治具から抜け落ちることがなく、水切り袋の開口部を封止する機能を有する。したがって、台所のシンクから大型ゴミ袋等への移動の際に、水切り袋内部の生ゴミが零れ落ちることが防止される。
【００１６】
本発明のこのような作用及び効果は、次に説明する実施の形態から明らかにされる。
【００１７】
【発明の実施の形態】
【００１８】
＜水切り袋＞
図１は、水切り袋１０を示す図である。本発明の水切り具を適用することができる水切り袋１０は、通常水切り袋として使用されている形態であれば、どのようなものでもよい。例えば図１（ａ）に示されるように、重ねられた２枚のシートの３辺を接合した簡易な袋形状の水切り袋１０Ａに適用することができる（以下において、変形例を示す場合には、符号の後にＡ、Ｂ、Ｃ、…等のアルファベットを付して適宜区別し、区別を要しないときは数字の符号のみで表示するものとする。）。図１（ａ）において、水切り袋１０Ａの上部が開け口１１Ａ、下部が底部１２Ａである。生ゴミは、開け口１１Ａから水切り袋１０Ａに投入され、底部１２Ａに積み上げられてゆく。
【００１９】
本発明にかかる水切り具を適用できる水切り袋として、図１（ｂ）に示されるような展開すると箱形状をなすもの１０Ｂ、あるいは図１（ｃ）に示されるように円筒形状をなすもの１０Ｃなどが好適に利用でき、その他、逆円錐形状、逆三角錐形状などの形状であっても良い。水切り袋のシートを構成する材料としては、織布、不織布、多孔性合成樹脂フィルム、合成樹脂フィルムに窄孔加工したもの、合成樹脂製のメッシュ地などが好適に使用されている。合成樹脂素材としては例えば、ポリエチレン、ポリプロピレン、ナイロン、ポリエステル等が使用されていることが多い。また、必要に応じてこれらの材料に抗菌性、抗カビ性、生分解性等の機能が付与されていることもある。また水切り袋１０の開け口１１がほつれないように、開け口１１を底部１２側に折り返して二重として、重なった部分を接合固定されたようなものであっても本発明にかかる水切り具を適用することが可能である。
【００２０】
＜治具−第１実施形態＞
図２（ａ）は、治具の第１実施形態を示す斜視図である。また、図２（ｂ）は図２（ａ）の治具を上下方向逆にして示す図であり、図２（ｃ）は、図２（ａ）のＣ−Ｃ視垂直断面図である。この第１実施形態の治具２０は、長円形のフレーム部２１と、フレーム部２１を周縁部とする肉薄の内周平面２２と、開口２５を有する導入部２４とを備えている。内周平面２２には、フレーム部２１の長手方向中心線に沿って１本、その中心線に直交する方向に８本、さらに中心部に「Ｙ」字状に１個のスリット２３が設けられている。治具２０は、全体が同一材質の、例えばポリエチレン等の合成樹脂で形成されている。従って、比較的肉厚、かつ肉厚の異なる二つのフレーム部２１、及び導入部２４とによって、治具２０全体の剛性が確保される。内周平面２２には、スリット２３により多数のリード片２６が形成されている。内周平面２２は肉薄なので、リード片２６の先端部２６ｅは、自由に屈曲されることが可能である。なお、図２（ａ）及び（ｂ）には、「水切り袋挿通方向」が矢印で示されている。治具２０を使用して、水切り袋１０の内部に収容されている生ゴミの水分を絞ろうとするときは、水切り袋１０を矢印の方向に向けて治具２０のスリット２３に挿通することを示している。これについては後に詳述する。
【００２１】
図３は、図２に示す第１実施形態の治具２０に形成されるスリット２３の変形例を示す平面図である。図３（ａ）は、図２のスリット２３を示している。（ｂ）ではフレーム部２１の長円形長手方向中心線に沿ってジグザグ型のスリットが、（ｃ）では上記中心線の左右に交互に配列された多数の長方形により形成されるスリットが、（ｄ）では上記中心線に直交する方向に多数連続して配列された菱形により形成されるスリットが示されている。各内周平面２２はスリット２３により分割されて、複数のリード片２６、２６、２６、…が形成されている。図３（ａ）、（ｃ）、及び（ｄ）では、リード片２６、２６、２６、…のフレーム部２１側が固定端となり、内周平面２２の長辺中心線付近に位置する先端２６ｅ、２６ｅ、２６ｅ…が自由端となっている。一方、図３（ｂ）においては、リード片２６、２６、２６、…の固定端と自由端とが、両端のフレーム部２１寄りに交互に配置されている。これらのスリット２３には、紙面裏側から表側に向けて水切り袋１０が開け口１１側から挿通される。水切り袋１０は挿通の際に束ねられるが、その水平方向断面形状はスリット２３より十分に大きい。しかし、上記したようにスリット２３が形成されている内周平面２２は肉薄の合成樹脂材料により柔軟に形成されているので、先端２６ｅ、２６ｅ、２６ｅ…が紙面上方に向けて屈曲されて、スリット２３が水切り袋１０の束ねられた形状に押し拡げられて、水切り袋１０の挿通が実現される。この状態で、リード片２６、２６、２６、…は、その自由端側が屈曲しつつ、水切り袋１０を押圧している。従って、水切り袋１０の束ねられた形状が拡がるのを防止する。これにより、水切り袋１０の内部に収容された生ゴミが零れ落ちることが防止される。また、使用者が治具２０を水切り袋１０の開け口１１側から底部１２側へしごくように移動させる際に、上記押圧力が働いているので、水切り袋１０の内部に収容されている生ゴミの水分を絞る作業を、より効果的に行うことができる。さらに、絞られた生ゴミが再び体積を増すように膨らもうとしても、リード片２６、２６、２６の先端２６ｅ、２６ｅ、２６ｅ…が戻り防止爪として、水切り袋１０に喰い込み、治具２０が水切り袋１０の開け口１１側に押し戻されることが防止される。また、フレーム部２１と導入部２４とが横長に形成されているので、水切り袋１０の水平断面形状が横長である場合に、円滑に挿通することができる。
【００２２】
＜治具−第２実施形態＞
図４は、治具の第２実施形態を示すものであり、（ａ）は第２実施形態にかかる治具２０Ａの斜視図、（ｂ）は治具２０Ａの（ａ）におけるＢ−Ｂ視垂直断面図である。治具２０Ａは、円筒形状のフレーム部２１Ａと、フレーム部２１Ａの一方側の開口にフレーム部を周縁として形成された円形かつ肉薄の内周平面２２Ａとを備えている。内周平面２２Ａには、中心部から周縁のフレーム部２１Ａに向けて放射状にスリット２３Ａが形成されている。治具２０Ａも、全体が同一材質、例えばポリエチレン等の合成樹脂で形成されている。従って、比較的肉厚のフレーム部２１Ａによって、治具２０Ａ全体の剛性が確保される。一方、スリット２３Ａが形成されている内周平面２２Ａは、肉薄なので、スリット２３Ａにより、内周平面２２が分割されて多数形成されている三角形状のリード片２６Ａの先端部２６Ａｅは、自由に屈曲されることが可能である。なお、図４（ａ）にも、「水切り袋挿通方向」が矢印で示されている。治具２０Ａを使用して、水切り袋１０の内部に収容されている生ゴミの水分を絞ろうとするときは、水切り袋１０を矢印の方向に向けて治具２０Ａのスリット２３Ａに挿通することを示している。
【００２３】
図５は、図４に示す第２実施形態の治具２０Ａに形成されるスリット２３Ａの変形例を示す平面図である。この第２実施形態における、内周平面２２Ａに形成されるスリットはすべて、円形の内周平面２２Ａの中心点近傍から、周縁のフレーム部２１Ａ方向に放射状に形成されている。（ａ）は中心点近傍から８本のスリットが形成されている治具２０Ａを、（ｂ）は６本のスリットが形成されている治具２０Ｂを、（ｃ）は５本のスリットが形成されている治具２０Ｃを、（ｄ）は４本のスリットが形成されている治具２０Ｄを、（ｅ）は３本のスリットが形成されている治具２０Ｅを、（ｆ）は先端部が尖った形状の４本のスリットが形成されている治具２０Ｆを、（ｇ）は先端部が尖った形状の５本のスリットが形成されている治具２０Ｇを、（ｈ）は先端部が尖った形状の６本のスリットが形成されている治具２０Ｈを、（ｉ）は先端部が尖った形状の８本のスリットが形成されている治具２０Ｉをそれぞれ示すものである。各内周平面２２はスリット２３により分割されて複数の三角形のリード片２６Ａ、２６Ａ、２６Ａ、…が形成されている。リード片２６Ａ、２６Ａ、２６Ａ、…のフレーム部２１Ａ側が固定端となり、円形をなす内周平面２２Ａの中心点近傍に位置するの先端２６Ａｅ、２６Ａｅ、２６Ａｅ…が自由端となっている。
【００２４】
これらのスリット２３には、紙面裏側から表面側に向けて水切り袋１０が開け口１１の側から挿通される。水切り袋１０の水平方向断面は、挿通の際に断面形状略円形に束ねられて、その大きさは、スリット２３より十分に大きい。しかし、上記したようにスリット２３が形成されている内周平面２２は肉薄の合成樹脂材料により柔軟に形成されているので、水切り袋１０が紙面裏面側から挿通されると、リード片２６、２６、２６、…の先端２６ｅ、２６ｅ、２６ｅ…が紙面上方に向けて屈曲される。このようにして、スリット２３が、水切り袋１０の束ねられた形状に押し拡げられて、水切り袋１０の挿通が実現される。この状態で、リード片２６、２６、２６、…は、その自由端側が屈曲しつつ、水切り袋１０を押圧している。従って、水切り袋１０の束ねられた形状が拡がるのを防止する。
これにより、水切り袋１０の内部に収容された生ゴミが零れ落ちることが防止される。また、使用者が治具２０を水切り袋１０の開け口１１側から底部１２側へしごくように移動させる際に、上記押圧力が働いているので、水切り袋１０の内部に収容されている生ゴミの水分を絞る作業を、より効果的に行うことができる。また、絞られた生ゴミが再び体積を増すように膨らもうとしても、リード片２６、２６、２６、…の先端２６ｅ、２６ｅ、２６ｅ…が戻り防止爪として、水切り袋１０に喰い込み、治具２０が水切り袋１０の開け口１１側に押し戻されることが防止される。
【００２５】
＜治具−第３実施形態＞
図６は、治具の第３実施形態を示すものであり、（ａ）は第３実施形態にかかる治具２０Ｊの斜視図、（ｂ）は治具２０Ｊの（ａ）におけるＢ−Ｂ視垂直断面図である。この第３実施形態の治具２０Ｊは、載頭円錐形の本体２５Ｊを備えている。本体２５Ｊには上下方向に載頭円錐形の貫通孔５０Ｊが設けられている。この貫通孔５０Ｊの底部開口４０は、上部開口３０より十分に大きく形成されている。この第３実施形態の治具２０Ｊでは、図６（ａ）に示される矢印の方向に水切り袋１０が挿通される。すなわち、水切り袋１０の開け口１１側を束ねて、底部開口４０の下方より治具２０Ｊに差し入れ、上部開口３０から引き出す。治具２０Ｊに形成されている貫通孔５０Ｊは、上方へゆくほど径が細く形成されているので、この貫通孔５０Ｊ内で、水切り袋１０を下方から上方へと引き上げることにより、水切り袋１０の内部に収容されている生ゴミの水分を絞ることができる。また底部開口４０が大きく設けられているので、水切り袋１０の挿通を円滑に行うことができる。
【００２６】
本実施形態の治具２０Ｊは、第１及び第２実施形態のような柔軟性を要求する内周平面を備えていない。従って、治具２０Ｊを構成する材料として、合成樹脂、金属、セラミックス、ガラス、紙、木材等、一定の強度を保つものであれば自由に選択することができる。
【００２７】
＜治具−第４実施形態＞
図７は、治具の第４実施形態を示すものであり、（ａ）は第４実施形態にかかる治具２０Ｋの斜視図、（ｂ）は治具２０Ｋの（ａ）におけるＢ−Ｂ視垂直断面図である。この第４実施形態の治具２０Ｋは、第３実施形態の治具２０Ｊの上部開口３０に第２実施形態の治具２０Ａにおける内周平面２２を形成したものである。従って、載頭円錐形の貫通孔５０Ｋによる水分を絞る作用に、内周平面２２Ｋに形成されるリード片２６の押圧による作用も加わり、より効果的に水切り袋１０の内部に収容されている生ゴミの水分を絞ることができる。また、本実施形態においてもリード片２６の先端が戻り防止爪として作用する。従って、一旦治具２０を水切り袋１０に装着すれば、水切り袋１０の開け口１１を閉じたまま保持することができるので、内部に収容された生ゴミが零れ落ちることが防止される。この第４実施形態の治具２０Ｋを構成する材料は、内周平面２２Ｋに柔軟性を要求するので、ポリエチレン等の合成樹脂とすることが好ましい。
【００２８】
＜使用状態＞
図８は、水切り袋１０に治具２０を取り付けた状態を示す図である。治具２０に対して水切り袋１０は、図の矢印で示される方向、すなわち、水切り袋１０の開け口１１側から底部１２側にしごかれるように引き上げられることにより、内部の生ゴミの水分が絞られる。使用者は、一方の手で治具を持ち、他方の手で水切り袋１０の開け口１１側を摘み上げるようにして、水切り袋１０の内部に収容された生ゴミの水分を容易に、かつ手を汚すことなく絞ることができる。
【００２９】
＜変形例＞
以上の説明において、治具は同一材料にて形成するものと説明したが、第１、第２及び第４実施形態においては、内周平面２２のみを柔軟な材料にて構成し、その他の部分（フレーム部２１、導入部２４、本体２５）はそれより硬い材料にて形成してもよい。例えば、内周平面２２をポリエチレン等の合成樹脂で形成し、その他の部分をアルミニウム等の金属にて形成してもよい。また、２種類の硬さの異なる合成樹脂を用意し、やわらかいものを内周平面２２に、硬いものをその他の部分に使用するようにしてもよい。
【００３０】
また、水切り袋１０が生分解性材料にて形成されている場合には、治具２０も生分解性材料にて形成することが好ましい。
【００３１】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う水切り袋の水切り具もまた本発明の技術的範囲に包含されるものとして理解されなければならない。
【００３２】
【発明の効果】
以上に説明したように、本発明の第１態様にかかる水切り袋の水切り具によれば、家庭における使用者は、水切り袋内の生ゴミの水分を、治具を利用して絞ることができるので、簡単にかつ手を生ゴミの水分で汚すことなく作業を行うことができる。このように生ゴミの水分を絞ることにより、生ゴミに含まれる水分が減少して、台所のシンクから大型ゴミ袋に運ばれる間に、生ゴミのから水滴が漏れ落ちることが防止される。また、水切り袋と治具とは別体に構成されているので、それぞれに別個に最適な材料にて形成することが可能である。また、必要に応じて治具を使用すればよく、使用者の好みにより、治具と水切り袋の組み合わせを変えることもできる。
【００３３】
上記第一の態様において、治具は開口を備え、開口はその内部へ水切り袋をその水切り袋の開け口側から底部側へと挿通することにより水切り袋に収容された生ゴミの水分を絞るように構成した場合には、生ゴミが収容された水切り袋は、開け口側から底部側に向けて治具に挿通されるので、内部に収容されている生ゴミの量の多少にかかわらず、生ゴミの水分を絞ることが可能となる。
【００３４】
さらに、治具は閉じた形状のフレーム部と、フレーム部を周縁とするとともに柔軟な材料により形成された内周平面とを備え、開口は内周平面に内周平面の中央付近からフレーム部に向けて複数のスリットとして形成されるように構成すれば、治具は閉じた形状のフレーム部を備えているので、治具自体の形状及び強度はフレーム部により確保される。このフレーム部の内周側に柔軟な材料により形成された内周平面が形成されるので、柔軟かつ所定形状を保持した内周平面を確保することができる。この柔軟な材料で形成された内周平面の中央部から周囲のフレーム部に向けて複数のスリットが形成されているので、スリット自体の形状も自由に変化することができる。したがって、スリットに水切り袋の開口部側を挿入する際にも抵抗なく作業を行うことが可能である。
【００３５】
また、内周平面内には、複数のスリットにより仕切られた多数のリード片が形成される。各リード片のフレーム部寄りの部分は内周平面と連続する固定端となり、各リード片の先端部は自由端となる。ひとたびスリット部に水切り袋が挿入されると、柔軟な材料により形成されている各リード片の先端部が、水切り袋の開口部側向きに屈曲される。したがって、内部に挿通される水切り袋の風体に応じてスリットの形状や大きさを変化させることができる。また、屈曲されているリード片は元の形状に戻ろうとする弾性を有するので、水切り袋を押圧する。このようにして、特殊な技能を必要とすることなく、治具を水切り袋の開け口側から底部側へと移動させるだけで、きわめて簡単に水切り袋内部に収容された生ゴミの水分を絞ることができる。また、各リード片の先端部が、水切り袋の開け口側に屈曲されており、治具が上記開け口側に戻ろうとすると、各リード片の先端部が水切り袋に喰い込むので、各リード片の先端部が治具の戻り防止爪として機能し、一端挿入された水切り袋が治具から抜け落ちることがない。したがって、台所のシンクから大型ゴミ袋等への移動の際に、水切り袋内部の生ゴミが零れ落ちることが防止される。
【図面の簡単な説明】
【図１】水切り袋を示す斜視図である。
【図２】第１実施形態の治具を示す図である。
【図３】図２に示す第１実施形態の治具におけるスリットの変形例を示す平面図である。
【図４】第２実施形態の治具を示す図である。
【図５】図４に示す第２実施形態の治具におけるスリットの変形例を示す平面図である。
【図６】第３実施形態の治具を示す図である。
【図７】第４実施形態の治具を示す図である。
【図８】水切り袋に治具を取り付けた状態を示す図である。
【符号の説明】
１０　水切り袋
１１　開け口
１２　底部
２０　治具
２１　フレーム部
２２　内周平面
２３　スリット
【図１】
2004043096.tif 000003
【図２】
2004043096.tif 000004
【図３】
2004043096.tif 000005
【図４】
2004043096.tif 000006
【図５】
2004043096.tif 000007
【図６】
2004043096.tif 000008
【図７】
2004043096.tif 000009
【図８】
2004043096.tif 000010